(57)【要約】      （修正有）【課題】  インストルメントパネルへの着脱を迅速かつ容易に行うことのできるワイヤーハーネスの固定構造を提供する。【解決手段】  ワイヤーハーネス６を周回り方向から包囲する円筒状のプロテクト部材５を有し、一対の半円弧状包囲壁７は円弧方向その一端部側がヒンジ８を介して互いに連結され、一対の半円弧状包囲壁の延びる方向一端部にはワイヤハーネスを束ねるバンド部材１４が一体に形成され、インストルメントパネルの係止穴３を構成する周壁２ａ’、２ａ’に沿って案内される半円弧状の案内溝１８が形成され、ワイヤーハーネスを開放空間からプロテクト部材に挿通し、一対の半円弧状部材をロック部材によりロックすると共に、バンド部材によりワイヤーハーネスを束ねてワイヤーハーネスをプロテクト部材に固定し、プロテクト部材の案内溝を周壁に沿わせつつ係止穴に係止させて固定する。【選択図】  図１
2006340568.tif 000002
【特許請求の範囲】
【請求項１】
ワイヤーハーネスを周回り方向から包囲する円筒状のプロテクト部材を有し、該プロテクト部材は周回り方向に半円弧を描いてワイヤーハーネスの延びる方向に延びる一対の半円弧状包囲壁から構成され、該一対の半円弧状包囲壁は円弧方向その一端部側がヒンジを介して互いに連結されかつその他端部側が前記ワイヤーハーネスを挿通する開放空間を形成する一対の離反接近部とされ、該一対の離反接近部には互いに両者を解除可能にロックするロック部材が形成され、前記一対の半円弧状包囲壁の延びる方向一端部には前記ワイヤハーネスを束ねるバンド部材が一体に形成され、前記一対の半円弧状包囲壁の延びる方向途中には周回り方向に延びてインストルメントパネルの係止穴を構成する周壁に沿って案内される半円弧状の案内溝が形成され、前記ワイヤーハーネスを前記開放空間から前記プロテクト部材に挿通し、前記一対の半円弧状部材を前記ロック部材によりロックすると共に、前記バンド部材により前記ワイヤーハーネスを束ねて該ワイヤーハーネスを前記プロテクト部材に固定し、該プロテクト部材の案内溝を前記周壁に沿わせつつ前記係止穴に係止させて固定することを特徴とするワイヤーハーネスの固定構造。
【請求項２】
前記バンド部材は前記ワイヤーハーネスを緊締するバンドと、該バンドの基端部を一体に有してその先端部側を固定する固定体とから構成されていることを特徴とする請求項１に記載のワイヤーハーネスの固定構造。
【発明の詳細な説明】
【技術分野】
【０００１】
本発明は、ワイヤーハーネスの固定構造の改良に関する。
【背景技術】
【０００２】
従来から、ワイヤーハーネスの固定構造には、合成樹脂製のインストルメントパネルの適宜箇所に切り欠き部を形成し、外装材としてのコルゲートチューブを用いてワイヤーハーネスを束ねて、この切り欠き部の係止穴にワイヤーハーネスを固定するワイヤーハーネスの固定構造が知られている（例えば、特許文献１参照。）。
【特許文献１】特許第３４６８０１３号
【発明の開示】
【発明が解決しようとする課題】
【０００３】
しかしながら、この従来のワイヤーハーネスの固定構造では、インストルメントパネルに形成された係止穴の穴径にコルゲートチューブの外径を合わせる必要があり、ワイヤーハーネスの本数の増減等によりコルゲートチューブの外径が変化するために、そのコルゲートチューブを係止穴に装着しにくく、また、係止穴に対してその束ねられたワイヤーハーネスを所定の位置に調整する作業を行う際に係止穴からコルゲートチューブを引き外しにくいという問題があり、総じて、従来のワイヤーハーネスの固定構造では、インストルメントパネルの係止穴へのワイヤーハーネスの組み付け作業を迅速かつ容易に行いにくいという問題点がある。
【０００４】
また、ワイヤーハーネスをコルゲートチューブに挿通してワイヤーハーネスを束ねる構造のものでは、ワイヤーハーネスの先端に大きな回路部品が取り付けられている場合にコルゲートチューブそれ自体が大きくなり、不格好なものとなる。
【０００５】
本発明は、上記の事情に鑑みて為されたもので、その目的とするところは、ワイヤーハーネスの固定の確実化を図りつつインストルメントパネルへの着脱を迅速かつ容易に行うことのできるワイヤーハーネスの固定構造を提供することにある。
【課題を解決するための手段】
【０００６】
請求項１に記載のワイヤーハーネスの固定構造は、ワイヤーハーネスを周回り方向から包囲する円筒状のプロテクト部材を有し、該プロテクト部材は周回り方向に半円弧を描いてワイヤーハーネスの延びる方向に延びる一対の半円弧状包囲壁から構成され、該一対の半円弧状包囲壁は円弧方向その一端部側がヒンジを介して互いに連結されかつその他端部側が前記ワイヤーハーネスを挿通する開放空間を形成する一対の離反接近部とされ、該一対の離反接近部には互いに両者を解除可能にロックするロック部材が形成され、前記一対の半円弧状包囲壁の延びる方向一端部には前記ワイヤーハーネスを束ねるバンド部材が一体に形成され、前記一対の半円弧状包囲壁の延びる方向途中には周回り方向に延びてインストルメントパネルの係止穴を構成する周壁に沿って案内される半円弧状の案内溝が形成され、前記ワイヤーハーネスを前記開放空間から前記プロテクト部材に挿通し、前記一対の半円弧状部材を前記ロック部材によりロックすると共に、前記バンド部材により前記ワイヤーハーネスを束ねて該ワイヤーハーネスを前記プロテクト部材に固定し、該プロテクト部材の案内溝を前記周壁に沿わせつつ前記係止穴に係止させて固定することを特徴とする。
【０００７】
請求項２に記載のワイヤーハーネスの固定構造は、前記バンド部材は前記ワイヤーハーネスを緊締するバンドと、該バンドの基端部を一体に有してその先端部側を固定する固定体とから構成されていることを特徴とする。
【発明の効果】
【０００８】
本発明によれば、ワイヤーハーネスの固定の確実化を図りつつインストルメントパネルへの着脱を迅速かつ容易に行うことができるという効果を奏する。
【発明を実施するための最良の形態】
【０００９】
以下に、本発明に係わるワイヤーハーネスの固定構造の発明の実施の形態を図面を参照しつつ説明する。
【実施例】
【００１０】
図１において、１は合成樹脂製のインストルメントパネルの一部に形成された合成樹脂製の切り欠き部である。この切り欠き部１は互いに対向する一対の支持爪片部２を有し、該一対の支持爪片部２の間が円弧状の係止穴３とされている。一対の支持爪片部２はその先端部２ａ、２ａが矢印方向に互いに離反接近するように撓む構成とされ、その一対の先端部２ａ、２ａの間が係止穴３に通じる開放空間４とされている。
【００１１】
その切り欠き部１には、図２〜４に示す外装材としての円筒状のプロテクト部材５が支持されるものである。このプロテクト部材５は合成樹脂製とされ、ワイヤーハーネス６を周回り方向から包囲してこのワイヤーハーネス６を保護しつつ固定する機能を有する。
【００１２】
このプロテクト部材５は、図１に示すように周回り方向に半円弧を描いてワイヤーハーネスの延びる方向に延びる一対の半円弧状包囲壁７、７から構成されている。この一対の半円弧状包囲壁７、７は図２、図４に拡大して示すように円弧方向その一端部側がヒンジ８を介して互いに連結されかつその他端部側がワイヤーハーネス６を挿通する開放空間９を形成する一対の離反接近部１０、１０’とされている。
【００１３】
この一対の離反接近部１０、１０’には互いに両者を解除可能にロックする一対のロック部材１１が図３に示すようにワイヤーハーネス６の延びる方向に間隔を開けて形成されている。ここでは、このロック部材１１は離反接近部１０の外周壁に一体に形成されたロック爪１２と離反接近部１０’の外周壁に一体に形成されたロック体１３とから構成されている。このロック体１３にはロック爪１２が嵌合される嵌合穴１３ａが形成されている。
【００１４】
その一対の半円弧状包囲壁７、７のいずれか一方のうちその延びる方向一端部には、図２〜図４に示すようにワイヤーハーネス６を束ねるバンド部材１４が一体に形成されている。
【００１５】
このバンド部材１４は、ここでは、図１、図３に示すように、ワイヤーハーネス６の先端部に取り付けられたコネクタ１５に臨む側の端部に形成されている。このバンド部材１４はワイヤーハーネス６を緊締するバンド１６と、このバンド１６の基端部１６ａを一体に有してその先端部１６ｂの側を固定する固定体１７とから構成されている。この固定体１７にはバンド１６の先端部側が挿通される挿通穴１７ａが形成されている。
【００１６】
この一対の半円弧状包囲壁７、７の延びる方向途中には、図１、図３に示すように、周回り方向に延びてインストルメントパネルの切り欠き部１の係止穴３を構成する一対の支持爪片部２の周壁２ａ’、２ａ’に沿って案内される半円弧状の案内溝１８が形成されている。
【００１７】
このプロテクト部材５を用いてワイヤーハーネス６を固定するには、図４に示すように、半円弧状包囲壁７、７をヒンジ８を支点にして拡げて開放空間９を形成し、この開放空間９からワイヤーハーネス６を一対の半円弧状包囲壁７、７の包囲空間２０に挿通し、次いで、半円弧状包囲壁７、７を閉じて一対の半円弧状包囲壁７、７をロック部材１１により図２、図３に示すようにロックした後、バンド部材１４によりワイヤーハーネス６を緊締して束ねることにより、ワイヤーハーネス６をプロテクト部材５に固定する。
【００１８】
ついで、図１、図５に示すように、プロテクト部材５を切り欠き部１に向かって接近させ、開放空間４を押し広げつつ、このプロテクト部材５の案内溝１８を一対の支持爪片部２の周壁に沿わせつつプロテクト部材５を係止穴３に押し込み、図６に示すように、プロテクト部材５を切り欠き部１の係止穴３に係止させて固定する。これにより、ワイヤーハーネス６がプロテクト部材５を介して保護されつつ切り欠き部１の係止穴３に固定される。この図６では、ワイヤーハーネス６が切り欠き部１の挿入方向奥側で支持されているが、図７に示すように、プロテクト部材５を回転させつつ係止穴３に押し込むことにより、ワイヤーハーネス６を切り欠き部１の挿入方向手前側で支持させる構成とすることもできる。
【００１９】
この発明によれば、ワイヤーハーネス６の本数の増減によらず、外装部材としてのプロテクト部材５の径を一定に保つことができ、また、案内溝１８を一対の支持爪片部２の周壁２ａ’、２ａ’に沿わせつつプロテクト部材５を切り欠き部１に支持させる構成であるので、ワイヤーハーネスを確実に固定しつつインストルメントパネルへの着脱を迅速かつ容易に行うことができる。
【００２０】
以上、実施例では、プロテクト部材５を合成樹脂製部材としての一対の支持爪片部２、２に支持させる構成としたが、一対の支持爪片部２、２はこれに限られるものではなく、金属製としても良い。
【図面の簡単な説明】
【００２１】
【図１】本発明に係わるワイヤーハーネスの固定構造を説明するための外観図である。
【図２】図１に示すプロテクト部材の側面図である。
【図３】図２に示すプロテクト部材の正面図である。
【図４】図２に示すプロテクト部材をヒンジを支点にして開いた状態を示す側面図である。
【図５】図１に示すプロテク部材と切り欠き部とを上側から見て概略示す平面図である。
【図６】図１に示すプロテクト部材を切り欠き部に支持させてワイヤーハーネスを挿入方向奥側に位置させた状態を概略示す平面図である。
【図７】図１に示すプロテクト部材を切り欠き部に支持させてワイヤーハーネスを挿入方向手前側に位置させた状態を概略示す平面図である。
【符号の説明】
【００２２】
５…プロテクト部材
６…ワイヤーハーネス
７…半円弧状包囲壁
８…ヒンジ
１４…バンド部材
２ａ’、２ａ’…周壁
【図１】
2006340568.tif 000003
【図２】
2006340568.tif 000004
【図３】
2006340568.tif 000005
【図４】
2006340568.tif 000006
【図５】
2006340568.tif 000007
【図６】
2006340568.tif 000008
【図７】
2006340568.tif 000009